(57)【要約】【課題】クッション材を使用せずに瓶の固定機能を持たせ、寸法の異なる瓶を１個の包装箱に収容できるようにすることを目的とする。【解決手段】一枚の板紙で、地パネルと、側面パネルとよりなる四角筒体と、四角筒体上に延伸させて二種類以上の瓶を保持する構造物を作製してなる二種類以上の瓶用包装箱であって、二種類以上の瓶を保持する構造物は四角筒体の各側面パネルの上辺にそれぞれ高さ調整パネルを連ね、中央の高さ調整パネルの上辺に天パネルを連ね、天パネルとその両側の高さ調整パネルとの間に折り畳みパネルを連ね、天パネルの上辺に差し込み片を連ねてなり、高い瓶を収容する際は、天パネル・折り畳みパネルと高さ調整パネルとの間の折り曲げ線を谷折りにし、低い瓶を収容する際は、高さ調整パネルと側面パネルとの間の折り曲げ線を谷折りにするようにした二種類以上の瓶用包装箱とした。【選択図】  図２
2005001756.tif 000002
【特許請求の範囲】
【請求項１】
一枚の板紙で、地パネルと、側面パネルとよりなる四角筒体と、四角筒体上に延伸させて二種類以上の瓶を保持する構造物を作製してなる二種類以上の瓶用包装箱であって、二種類以上の瓶を保持する構造物は四角筒体の各側面パネルの上辺にそれぞれ高さ調整パネルを連ね、中央の高さ調整パネルの上辺に天パネルを連ね、天パネルとその両側の高さ調整パネルとの間に折り畳みパネルを連ね、天パネルの上辺に差し込み片を連ねてなり、高い瓶を収容する際は、天パネル・折り畳みパネルと高さ調整パネルとの間の折り曲げ線を谷折りにし、低い瓶を収容する際は、高さ調整パネルと側面パネルとの間の折り曲げ線を谷折りにするようにした二種類以上瓶用包装箱。
【請求項２】
板紙としてダンボール板紙を用いる場合、ダンボール板紙の波形に４５°で交差する方向に折り曲げ線あるいは折り畳み線を設けるようにし、それを紙取りの無駄の殆ど生じない展開構造で達成した請求項１記載の二種類以上の瓶用包装箱。
【発明の詳細な説明】
【０００１】
【発明の属する技術分野】
本発明は、二種類以上の瓶用包装箱に関し、高さの異なる瓶、特に酒瓶の包装箱を共通化しようとするものである。
【０００２】
【従来の技術】
瓶の包装は、瓶の寸法が異なると、瓶の寸法ごとに合わせた包装箱が使用されている。このように瓶の寸法ごとに合わせた包装箱を使用すると、多数個の包装箱が必要となる。包装箱の種類が多くなると管理が大変になり、コストアップともなる。
【０００３】
包装箱の共通化を図ろうとして余分にクッション材を使うと、瓶のがたつきが発生し、箱を手に取った時に音が発生したり、あるいは破瓶の原因となり、また、クッション材を処分する時に廃棄物の問題がある。
【０００４】
【発明を解決しようとする課題】
隙間を多めのクッション材で埋めて包装箱の共通化を図ることは、商品のがたつきや音の発生、破瓶や廃棄物の問題が生じたりして、クッション材を多めに使用することは瓶のイメージの低下やゴミ処理の問題がある。
【０００５】
【課題を解決するための手段】
そこで、本発明は上記の事情に鑑み、クッション材を使用せずに瓶の固定機能を持たせ、寸法の異なる瓶を１個の包装箱に収容できるようにすべく、一枚の板紙で、地パネルと、側面パネルとよりなる四角筒体と、四角筒体上に延伸させて二種類以上の瓶を保持する構造物を作製してなる二種類以上の瓶用包装箱であって、二種類以上の瓶を保持する構造物は四角筒体の各側面パネルの上辺にそれぞれ高さ調整パネルを連ね、中央の高さ調整パネルの上辺に天パネルを連ね、天パネルとその両側の高さ調整パネルとの間に折り畳みパネルを連ね、天パネルの上辺に差し込み片を連ねてなり、高い瓶を収容する際は、天パネル・折り畳みパネルと高さ調整パネルとの間の折り曲げ線を谷折りにし、低い瓶を収容する際は、高さ調整パネルと側面パネルとの間の折り曲げ線を谷折りにするようにした二種類以上の瓶用包装箱とした。
【０００６】
また、本発明は、精度の良い折り曲げ線、折り畳み線を設けるために、板紙としてダンボール板紙を用いる場合、ダンボール板紙の波形に４５°で交差する方向に折り曲げ線あるいは折り畳み線を設けるようにし、それを紙取りの無駄の殆ど生じない展開構造で達成した二種類以上の瓶用包装箱とした。
【０００７】
【発明の実施の態様】
本発明を添付する図面に基づいて、以下詳細に説明する。
【０００８】
本発明は、包装箱の中に入る瓶のばらつきに対応し、さらに瓶の固定機能を持たせた。
【０００９】
図１に、本発明の具体的一実施例の展開図を示す。本実施例では酒瓶の例について述べる。高さの高い酒瓶は２９５ｍｍ、直径は７６ｍｍ、高さの低い酒瓶は２７７ｍｍ、直径は８５ｍｍで、高さの差は１８ｍｍあり、これを紙の構造で共通化しようとするものである。
【００１０】
本発明の包装箱の素材は、板紙、厚紙、樹脂板、その他の薄板材を使用することができるが、ダンボール板紙が最も好ましい。
【００１１】
概略正方形状で、同じ大きさの長方形状の側面パネル１、側面パネル２、側面パネル３、側面パネル４、側面パネル５をそれぞれ折り曲げ線６・７・８・９・１０・１１を介して連ねる。なお、側面パネル１と側面パネル５は共に外側の上下角部を斜状にカットしてある。
【００１２】
側面パネル１の右辺の折り曲げ線６および側面パネル５の左辺の折り曲げ線１１にそれぞれ台形状の中差し込みパネル１２、外重ねパネル１３が連ねてある。
【００１３】
側面パネル３の下辺の折り畳み線１４を介して補強パネル１５を連ね、補強パネル１５の下辺のミシン目折り曲げ線１６を介して地パネル１７を連ね、補強パネル１５・地パネル１７とその両側の側面パネル２・４との間に折り畳みパネル１８・１９を連ね、ミシン目折り曲げ線１６の両端からそれぞれ斜め下方にミシン目折り畳み線２０・２１を刻設する。地パネル１７の下辺の折り曲げ線２２を介して差し込み片２３を連ねる。なお、補強パネル１５と折り畳みパネル１８・１９との間には折り曲げ線５４・５５を介在させ、地パネル１７と折り畳みパネル１８・１９との間には折り曲げ線５６・５７を介在させる。側面パネル２・４と折り畳みパネル１８・１９との間には折り曲げ線５８・５９を介在させる。
【００１４】
二種類の酒瓶を保持する構造物は四角筒体の各側面パネル１・２・３・４・５の上辺の折り曲げ線２４・２５・２６・２７・２８にそれぞれ高さ調整パネル２９・３０・３１・３２・３３を連ね、中央の高さ調整パネル３１の上辺のミシン目の折り曲げ線３４を介して天パネル３５を連ね、天パネル３５とその両側の高さ調整パネル３０・３２との間に折り曲げ線３６・３７・３８・３９を介して折り畳みパネル４０・４１を連ね、ミシン目折り曲げ線３４の両端から折り畳みパネル４０・４１にそれぞれ斜め上方にミシン目折り畳み線４２・４３を刻設し、天パネル３５の上辺の折り曲げ線４４を介して差し込み片４５を連ねる。
【００１５】
高さ調整パネル２９・３０・３１・３２・３３との間にはそれぞれ折り曲げ線４６・４７・４８・４９を介在させている。
【００１６】
また、折り曲げ線１１の中央には差し込み片５０が設けられ、この差し込み片５０に対向する折り曲げ線７の中央部に切れ込み５１が刻設してある。符号５２は折り曲げ線であり、切れ込み５１は折り曲げ線７より若干外側に設けられ、符号５３は半円形の孔が貫通してある。
【００１７】
折り畳みパネル１８・１９のミシン目折り畳み線２０・２１の上の内面部分を側面パネル２・４の内面に組立てを容易にするために、糊付け接着しておく。この糊付け接着をしなくても組立ては可能である。
【００１８】
本包装箱の組立てについて述べる。
【００１９】
図２に示すように、側面パネル１、２、３、４、５を四角筒状に折り曲げ、中差し込みパネル１２を中に差し込み、差し込み片５０を切れ込み５１に差し込み、外重ねパネル１３を側面パネル２の外面に外重ねし、その後、地パネル１７の陥没部を組立てる。
【００２０】
地パネル１７部の組立ての詳細は図３に示す。
【００２１】
折り畳みパネル１８・１９の上部が側面パネル２・４に糊付け接着されている場合は、折り畳みパネル１８・１９がミシン目折り畳み線２０・２１で容易に折り畳まれ、さらに、ミシン目折り曲げ線１６が容易に折り曲げられるため地パネル１７が水平状となって、差し込み片２３を差し込んで陥没構造となる。補強パネル１５は側面パネル３下部と二重構造となってより一層の補強の機能を果たす。
【００２２】
ところで、高い酒瓶を収容する際は、天パネル３５・折り畳みパネル４０・４１と高さ調整パネル３０・３１・３２の間の折り曲げ線３８・３４・３９を谷折りにし、折り畳みパネル４０・４１をそれぞれミシン目折り畳み線４２・４３で折り畳み、差し込み片４５を折り曲げ線４４で折り曲げて差し込む（図２参照）。
【００２３】
次に、低い酒瓶を収容する際は、高さ調整パネル２９・３０・３１・３２・３３と側面パネル１・２・３・４・５との間の折り曲げ線２４・２５・２６・２７・２８を谷折りにし、折り畳みパネル４０・４１をそれぞれミシン目折り畳み線４２・４３で折り畳み、差し込み片４５を折り曲げ線４４で折り曲げて差し込む（図２参照）。
【００２４】
上記のようにして、高い酒瓶と低い酒瓶の包装箱の共通化が可能となる。
【００２５】
本発明では、上下に陥没構造があって、箱の強度面での補強を成している。
【００２６】
本発明では、ダンボール板紙の波形に４５°で交差する方向に折り曲げ線あるいは折り畳み線を設けるようにする。ダンボール板紙では波形に４５°で交差する方向に折り曲げ線あるいは折り畳み線を設けることにより精度の良い折り曲げ線、折り畳み線を設けることができる。ダンボール板紙では、波形に平行の方向に折り曲げ線、折り畳み線を設けると、波形があるため正確に均一に折り曲げられない場合がある。
【００２７】
また、本発明の実施例のように、図１の左右方向を延ばす余裕のある方向にした板取りにすると、経済的な板取りにすることができる。
【００２８】
図４は、他の実施例の展開図であり、図４では折り曲げ線３８・３９が設けられてない点が図１と異なる。
【００２９】
この実施例では、高い酒瓶を収容する際は、天パネル３５と高さ調整パネル３１の間の折り曲げ線３４を谷折りにし、折り畳みパネル４０・４１をそれぞれミシン目折り畳み線４２・４３で折り畳み、差し込み片４５を折り曲げ線４４で折り曲げて差し込む。
【００３０】
次に、低い酒瓶を収容する際は、側面パネル１・２・３・４・５の上辺の折り畳み線２４・２５・２６・２７・２８を谷折りにし、折り畳みパネル４０・４１をそれぞれミシン目折り畳み線４２・４３で折り畳み、差し込み片４５を折り曲げ線４５で折り曲げて差し込む。
【００３１】
ダンボール板紙での紙取りは、通常、図５に示すように波形の方向に取られている。それを図６に示すように波形に４５°交差する方向に紙取りを行うと無駄が大変多い。図７に示すように、展開図の概略正方形の辺が波形の方向に一致させると、紙取りに殆ど無駄がなく、至極経済的である。
【００３２】
【発明の効果】
本発明は、上述のように、一枚の板紙で、地パネルと、側面パネルとよりなる四角筒体と、四角筒体上に延伸させて二種類以上の瓶を保持する構造物を作製してなる二種類以上の瓶用包装箱であって、二種類以上の瓶を保持する構造物は四角筒体の各側面パネルの上辺にそれぞれ高さ調整パネルを連ね、中央の高さ調整パネルの上辺に天パネルを連ね、天パネルとその両側の高さ調整パネルとの間に折り畳みパネルを連ね、天パネルの上辺に差し込み片を連ねてなり、高い瓶を収容する際は、天パネル・折り畳みパネルと高さ調整パネルとの間の折り曲げ線を谷折りにし、低い瓶を収容する際は、高さ調整パネルと側面パネルとの間の折り曲げ線を谷折りにするようにした二種類以上の瓶用包装箱であるので、クッション材を使用せずに、瓶の固定機能を持たせ、寸法の異なる瓶を１個の個包装箱に収容できるようにした。
【００３３】
また、本発明は、寸法の異なる瓶に対応できるので、包装箱を瓶のサイズに合わせて用意しなくてよい。このことは、輸送費の削減、保管スペースの減少、管理費のコストダウンが図れる。
【００３４】
さらに、本発明は、包装個箱が板紙で印刷の選択幅が向上する。
【００３５】
本発明は、板紙としてダンボール板紙を用いる場合、ダンボール板紙の波形に４５°で交差する方向に折り曲げ線あるいは折り畳み線を設けるようにし、それを紙取りの無駄の殆ど生じない展開構造で達成した二種類以上の瓶用包装箱であるので、精度の良い折り曲げ線、折り畳み線を設けることができる。
【図面の簡単な説明】
【図１】本発明の包装箱の具体的な一実施例の展開図である。
【図２】本発明の包装箱の組立て状態を説明する斜視図である。
【図３】本発明の組立状態の要部の斜視図である。
【図４】本発明の包装箱の他の実施例の展開図である。
【図５】従来のダンボール板紙の波形の方向に紙取りを説明する図である。
【図６】ダンボール板紙の波形に４５°交差する紙取りを説明する図である。
【図７】本発明の展開図の概略正方形の辺を波形の方向に一致させ、殆ど無駄がないことを説明する図である。
【符号の説明】
１７…地パネル
１・２・３・４・５…側面パネル
２９・３０・３１・３２・３３…高さ調整パネル
３１…中央の高さ調整パネル
３５…天パネル
４５…差し込み片
３８・３４・３９…天パネル・折り畳みパネルと高さ調整パネルとの間の折り曲げ線
２４・２５・２６・２７・２８…高さ調整パネルと側面パネルとの間の折り曲げ線
【図１】
2005001756.tif 000003
【図２】
2005001756.tif 000004
【図３】
2005001756.tif 000005
【図４】
2005001756.tif 000006
【図５】
2005001756.tif 000007
【図６】
2005001756.tif 000008
【図７】
2005001756.tif 000009